【手続補正書】
【提出日】平成28年12月27日(2016.12.27)
【手続補正１】
【補正対象書類名】特許請求の範囲
【補正対象項目名】全文
【補正方法】変更
【補正の内容】
【特許請求の範囲】
【請求項１】
遊技球が流下する遊技領域に設けられ、遊技球が入賞可能な第１及び第２の始動口と、
前記遊技領域に設けられ、遊技球が入賞可能な開放状態と入賞困難な閉鎖状態とに切り替え可能であると共に通常は前記閉鎖状態に保持された大入賞口と、
前記第１の始動口への遊技球の入賞に起因して発生する第１の当否判定権と、前記第２の始動口への遊技球の入賞に起因して発生する第２の当否判定権とをそれぞれ使用してそれぞれ大当り当否判定を行い、前記第１の当否判定権の当否判定結果を報知するための第１の判定報知演出と前記第２の当否判定権の当否判定結果を報知するための第２の判定報知演出とを実行する判定演出手段と、
当りの前記判定報知演出の後に、前記大入賞口を前記開放状態にする大当り遊技を実行する大当り遊技実行手段と、
前記大入賞口の内部に共に設けられて、択一的に遊技球が入球する特典確定口及び通常口と、を備え、
前記第１の当否判定権による前記大当り当否判定の当りとして、前記大当り遊技後の遊技状態を前記第２の判定報知演出の実行時間が比較的短い時短状態とする特典付き大当りと比較的長い非時短状態とする特典無し大当りとの両方が設けられる一方、前記第２の当否判定権による前記大当り当否判定の当りとして、少なくとも前記特典付き大当りが設けられかつ、前記特典付き大当りの大当り遊技中に前記特典確定口に遊技球が入球した場合に前記時短状態を前記大当り当否判定の当り確率が比較的高い確変有り時短状態とする一方、前記特典確定口に遊技球が入球しなかった場合に前記時短状態を前記当り確率が比較的低い確変無し時短状態にするように設定され、
前記確変有り時短状態中に、所定の演出時間の確変有り時短状態用演出を実行する演出実行手段を備え、
前記第１の当否判定権に基づいた前記確変有り時短状態用演出の途中で、前記第２の当否判定権の当りにより前記大当り遊技が実行された場合は、実行中の前記確変有り時短状態用演出の演出時間の計測を中断し、前記大当り遊技後に計測を再開するように構成されていることを特徴とする遊技機。
【請求項２】
前記確変無し時短状態では、外れとなる前記第１の判定報知演出及び前記第２の判定報知演出の連続実行回数が、予め定められた上限回数に達した時点で前記確変無し時短状態から前記非時短状態に切り替わるように構成され、
前記大当り遊技後に前記確変無し時短状態へと移行した場合は、前記確変無し時短状態から前記非時短状態に切り替わる場合のタイミングを、再開した前記確変有り時短状態用演出の演出時間の経過後になるように、前記確変有り時短状態用演出の演出時間に対して前記第２の判定報知演出の長さと前記第２の当否判定権を使用した大当り当否判定の上限回数とを設定したことを特徴とする請求項１に記載の遊技機。
【請求項３】
前記第２の当否判定権による前記大当り当否判定の当りとして、前記特典付き大当りのみが設けられていることを特徴とする請求項１又は２に記載の遊技機。
【手続補正２】
【補正対象書類名】明細書
【補正対象項目名】０００６
【補正方法】変更
【補正の内容】
【０００６】
上記目的を達成するためになされた請求項１の発明に係る遊技機は、遊技球が流下する遊技領域に設けられ、遊技球が入賞可能な第１及び第２の始動口と、遊技領域に設けられ、遊技球が入賞可能な開放状態と入賞困難な閉鎖状態とに切り替え可能であると共に通常は閉鎖状態に保持された大入賞口と、第１の始動口への遊技球の入賞に起因して発生する第１の当否判定権と、第２の始動口への遊技球の入賞に起因して発生する第２の当否判定権とをそれぞれ使用してそれぞれ大当り当否判定を行い、第１の当否判定権の当否判定結果を報知するための第１の判定報知演出と第２の当否判定権の当否判定結果を報知するための第２の判定報知演出とを実行する判定演出手段と、当りの判定報知演出の後に、大入賞口を開放状態にする大当り遊技を実行する大当り遊技実行手段と、大入賞口の内部に共に設けられて、択一的に遊技球が入球する特典確定口及び通常口と、を備え、第１の当否判定権による大当り当否判定の当りとして、大当り遊技後の遊技状態を第２の判定報知演出の実行時間が比較的短い時短状態とする特典付き大当りと比較的長い非時短状態とする特典無し大当りとの両方が設けられる一方、第２の当否判定権による大当り当否判定の当りとして、少なくとも特典付き大当りが設けられかつ、特典付き大当りの大当り遊技中に特典確定口に遊技球が入球した場合に時短状態を大当り当否判定の当り確率が比較的高い確変有り時短状態とする一方、特典確定口に遊技球が入球しなかった場合に時短状態を当り確率が比較的低い確変無し時短状態にするように設定され、確変有り時短状態中に、所定の演出時間の確変有り時短状態用演出を実行する演出実行手段を備え、第１の当否判定権に基づいた確変有り時短状態用演出の途中で、第２の当否判定権の当りにより大当り遊技が実行された場合は、実行中の確変有り時短状態用演出の演出時間の計測を中断し、大当り遊技後に計測を再開するように構成されているところに特徴を有する。
【手続補正３】
【補正対象書類名】明細書
【補正対象項目名】０００７
【補正方法】変更
【補正の内容】
【０００７】
請求項２の発明は、請求項１に記載の遊技機において、確変無し時短状態では、外れとなる第１の判定報知演出及び第２の判定報知演出の連続実行回数が、予め定められた上限回数に達した時点で確変無し時短状態から非時短状態に切り替わるように構成され、大当り遊技後に確変無し時短状態へと移行した場合は、確変無し時短状態から非時短状態に切り替わる場合のタイミングを、再開した確変有り時短状態用演出の演出時間の経過後になるように、確変有り時短状態用演出の演出時間に対して第２の判定報知演出の長さと第２の当否判定権を使用した大当り当否判定の上限回数とを設定したところに特徴を有する。
【手続補正４】
【補正対象書類名】明細書
【補正対象項目名】０００８
【補正方法】変更
【補正の内容】
【０００８】
請求項３の発明に係る遊技機は、請求項１又は２に記載の遊技機において、第２の当否判定権による大当り当否判定の当りとして、特典付き大当りのみが設けられているところに特徴を有する。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１４
【補正方法】変更
【補正の内容】
【００１４】
請求項１の遊技機では、大当り当否判定の当りに、第１の始動口への入賞に係る第１の当否判定権を使用した当りと、第２の始動口への入賞に係る第２の当否判定権を使用した当りとがあり、それら各当りを報知する第１又は第２の判定報知演出の後に、大入賞口を開放状態にする大当り遊技が実行される。ここで、第１の当否判定権による大当り当否判定の当りとして、大当り遊技後の遊技状態を第２の判定報知演出の実行時間が比較的短い時短状態とする特典付き大当りと比較的長い非時短状態とする特典無し大当りとの両方が設けられている。一方、第２の当否判定権による大当り当否判定の当りには、少なくとも特典付き大当りが設けられている。そして、特典付き大当りの大当り遊技中に特典確定口に遊技球が入球した場合に遊技状態は大当り当否判定の当り確率が比較的高い確変有り時短状態になる一方、特典確定口に遊技球が入球しなかった場合に遊技状態は当り確率が比較的低い確変無し時短状態になる。そのため、特典付き大当りにおいて特典確定口に遊技球を入球させれば確変有り時短状態にすることができ、仮に特典確定口に遊技球を入球できなくても確変無し時短状態とすることができるため時短無し状態よりも遊技者に有利な状態となり、新たな遊技性を提供することが可能となる。
【手続補正１０】
【補正対象書類名】明細書
【補正対象項目名】００１５
【補正方法】変更
【補正の内容】
【００１５】
そして、請求項２の遊技機のように、大当り遊技後に確変無し時短状態へと移行した場合は、確変無し時短状態から非時短状態に切り替わる場合のタイミングを、再開した確変有り時短状態用演出の演出時間の経過後になるように、確変有り時短状態用演出時間に対して第２の判定報知演出の長さと第２の当否判定権を使用した大当り当否判定の上限回数とを設定したことで、最長時間の確変有り時短状態用演出を実行している間に遊技状態が確変有り時短状態から確変無し時短状態に変わってしまっても確変有り時短状態用演出の演出時間の経過中に確変無し時短状態が終わってしまうことが無くなり、確変有り時短状態用演出の終了後にいきなり非時短状態（通常状態）用の演出が実行されることを防止することが可能となる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００３９
【補正方法】変更
【補正の内容】
【００３９】
＜右側流下領域Ｒｂの流下経路について＞
右側流下領域Ｒｂの上部には、その右側流下領域Ｒｂを流下する遊技球の全てが通過する共通基幹経路５０が設けられている。共通基幹経路５０は、遊技球が１つだけ通過可能な幅をなして上下方向に延び、その共通基幹経路５０の下端部に、第１基幹流下経路５１と第２基幹流下経路５２とが二股状に連絡されている。第２基幹流下経路５２は、第１基幹流下経路５１との分岐部から遊技領域Ｒの外縁部に沿って下方に延びており、その下端部の排出口５２Ｂが、始動ゲート３０に向かって左斜め下方に開放している。また、第２基幹流下経路５２は、遊技球をサイド始動口３２Ａに入賞させないように案内して、始動ゲート３０や、その下流側に配置された特別始動口３３Ａ、第１及び第２のアタッカー口３４Ａ，３５Ａに向かわせる。
【手続補正１６】
【補正対象書類名】明細書
【補正対象項目名】００４３
【補正方法】変更
【補正の内容】
【００４３】
図４に示すように、第１基幹流下経路５１は、第２基幹流下経路５２との分岐部から、第２基幹流下経路５２よりも大きく左右に蛇行しながら下方に向かって延びており、遊技球が通過する通過時間が、第２基幹流下経路５２よりも長くなるように構成されている。第１基幹流下経路５１の下流側には、サイド始動口３２Ａ、特別始動口３３Ａ、始動ゲート３０等が設けられている。
【手続補正１７】
【補正対象書類名】明細書
【補正対象項目名】００６０
【補正方法】変更
【補正の内容】
【００６０】
【表１】
2016026578.tif 000001
【手続補正１８】
【補正対象書類名】明細書
【補正対象項目名】０２８１
【補正方法】変更
【補正の内容】
【０２８１】
［他の実施形態］
本発明は、前記実施形態に限定されるものではなく、上記以外にも要旨を逸脱しない範囲内で種々変更して実施することができる。例えば、前記実施形態では第２の当否判定権に基づいた当りは全て特典付き大当りで構成されていたが、第１の当否判定権よりも特典付き大当りに成り易い構成にしてもよい。
［上記実施形態及び上記他の実施形態の構成のまとめ］
上記実施形態及び上記他の実施形態には、以下の［１］〜［７］の構成が含まれている。
［１］
遊技球が流下する遊技領域に設けられ、遊技球が入賞可能な第１及び第２の始動口と、
前記遊技領域に設けられ、遊技球が入賞可能な開放状態と入賞困難な閉鎖状態とに切り替え可能であると共に通常は前記閉鎖状態に保持された大入賞口と、
前記第１の始動口への遊技球の入賞に起因して発生する第１の当否判定権と、前記第２の始動口への遊技球の入賞に起因して発生する第２の当否判定権とをそれぞれ使用してそれぞれ大当り当否判定を行い、前記第１の当否判定権の当否判定結果を報知するための第１の判定報知演出と前記第２の当否判定権の当否判定結果を報知するための第２の判定報知演出とを実行する判定演出手段と、
当りの前記判定報知演出の後に、前記大入賞口を前記開放状態にする大当り遊技を実行する大当り遊技実行手段と、
前記大入賞口の内部に共に設けられて、択一的に遊技球が入球する特典確定口及び通常口と、を備え、
前記第１の当否判定権による前記大当り当否判定の当りとして、前記大当り遊技後の遊技状態を前記第２の判定報知演出の実行時間が比較的短い時短状態とする特典付き大当りと比較的長い非時短状態とする特典無し大当りとの両方が設けられる一方、前記第２の当否判定権による前記大当り当否判定の当りとして、少なくとも前記特典付き大当りが設けられかつ、前記特典付き大当りの大当り遊技中に前記特典確定口に遊技球が入球した場合に前記時短状態を前記大当り当否判定の当り確率が比較的高い確変有り時短状態とする一方、前記特典確定口に遊技球が入球しなかった場合に前記時短状態を前記当り確率が比較的低い確変無し時短状態にするように設定されたことを特徴とする遊技機。
［２］
前記確変有り時短状態中に、複数の確変有り時短状態用演出時間の中から任意の前記確変有り時短状態用演出時間を選択して、その確変有り時短状態用演出時間の確変有り時短状態用演出を実行する演出選択実行手段を備え、
前記確変無し時短状態では、外れとなる前記第１の判定報知演出及び前記第２の判定報知演出の連続実行回数が、予め定められた上限回数に達した時点で前記確変無し時短状態から前記非時短状態に切り替わるように構成され、
前記第１の当否判定権に基づいた前記確変有り時短状態用演出の途中で、前記第２の当否判定権の当りにより大当り遊技を実行された場合は、実行中の前記確変有り時短状態用演出の演出時間の計測を中断し、前記大当り遊技後に計測を再開するように構成され、
前記大当り遊技後に前記確変無し時短状態へと移行した場合は、前記確変無し時短状態から前記非時短状態に切り替わる場合のタイミングを、再開した前記確変有り時短状態用演出の演出時間の経過後になるように、前記確変有り時短状態用演出時間の最長時間に対して前記第２の判定報知演出の長さと前記第２の当否判定権を使用した大当り当否判定の上限回数とを設定したことを特徴とする［１］に記載の遊技機。
［３］
遊技球が流下する遊技領域に設けられ、遊技球が入賞可能な第１及び第２始動口と、
前記遊技領域に設けられ、遊技球が入賞可能な開放状態と入賞困難な閉鎖状態とに切り替え可能であると共に通常は前記閉鎖状態に保持された大入賞口と、
前記第１の始動口への遊技球の入賞に起因して発生する第１の当否判定権と、前記第２の始動口への遊技球の入賞に起因して発生する第２の当否判定権とをそれぞれ使用してそれぞれ大当り当否判定を行い、前記第１の当否判定権の当否判定結果を報知するための第１の判定報知演出と前記第２の当否判定権の当否判定結果を報知するための第２の判定報知演出とを実行する判定演出手段と、
当りの前記判定報知演出の後に、前記大入賞口を前記開放状態にする大当り遊技を実行する大当り遊技実行手段と、
前記大入賞口の内部に共に設けられて、択一的に遊技球が入球する特典確定口及び通常口とを備えた遊技機であって、
前記第１の当否判定権による前記大当り当否判定の当りとして、前記大当り遊技後の遊技状態を前記第２の判定報知演出の実行時間が比較的短い時短状態とする特典付き大当りと比較的長い非時短状態とする特典無し大当りとの両方が設けられる一方、前記第２の当否判定権による前記大当り当否判定の当りとして、少なくとも前記特典付き大当りが設けられかつ、前記特典付き大当りの大当り遊技中に前記特典確定口に遊技球が入球した場合に前記時短状態を前記大当り当否判定の当り確率が比較的高い確変有り時短状態とする一方、前記特典確定口に遊技球が入球しなかった場合に前記時短状態を前記当り確率が比較的低い確変無し時短状態にするように設定され、
前記確変有り時短状態中に、複数の確変有り時短状態用演出時間の中から任意の前記確変有り時短状態用演出時間を選択して、その確変有り時短状態用演出時間の確変有り時短状態用演出を実行する演出選択実行手段が備えられ、
前記確変無し時短状態では、外れとなる前記第１の判定報知演出及び前記第２の判定報知演出の連続実行回数が、予め定められた上限回数に達した時点で前記確変無し時短状態から前記非時短状態に切り替わるように構成され、
前記第１の当否判定権に基づいた前記確変有り時短状態用演出の途中で、前記第２の当否判定権の当りにより大当り遊技を実行された場合は、実行中の前記確変有り時短状態用演出の演出時間の計測を中断し、前記大当り遊技後に計測を再開するように構成され、
前記大当り遊技後に前記確変無し時短状態へと移行した場合は、前記確変無し時短状態から前記非時短状態に切り替わる場合のタイミングを、再開した前記確変有り時短状態用演出の演出時間の経過後になるように、前記確変有り時短状態用演出時間の最長時間に対して前記第２の判定報知演出の長さと前記第２の当否判定権を使用した大当り当否判定の上限回数とを設定したことを特徴とする遊技機。
［４］
前記判定演出手段は、前記確変有り時短状態用演出の終了後、前記確変無し時短状態から前記非時短状態に切り替わる前迄に、遊技状態が遊技者にとって不利な状態に切り替わることを意味させる確変無し時短状態用演出を行うように構成されたことを特徴とする［２］又は［３］に記載の遊技機。
［５］
前記第２の判定報知演出は、前記確変有り時短状態より前記確変無し時短状態の方が長く、前記確変無し時短状態より前記確変無し非時短状態の方が更に長くなるように設定されていることを特徴とする［１］乃至［４］の何れか１に記載の遊技機。
［６］
前記確変有り時短状態での前記第１の判定報知演出は前記第２の判定報知演出より長くなるように設定されていることを特徴とする［１］乃至［５］の何れか１に記載の遊技機。
［７］
前記確変無し時短状態での前記第１の判定報知演出は前記第２の判定報知演出と同じ長さになるように設定されていることを特徴とする［１］乃至［６］の何れか１に記載の遊技機。
［１］及び［３］の遊技機では、大当り当否判定の当りに、第１の始動口への入賞に係る第１の当否判定権を使用した当りと、第２の始動口への入賞に係る第２の当否判定権を使用した当りとがあり、それら各当りを報知する第１又は第２の判定報知演出の後に、大入賞口を開放状態にする大当り遊技が実行される。ここで、第１の当否判定権による大当り当否判定の当りとして、大当り遊技後の遊技状態を第２の判定報知演出の実行時間が比較的短い時短状態とする特典付き大当りと比較的長い非時短状態とする特典無し大当りとの両方が設けられている。一方、第２の当否判定権による大当り当否判定の当りには、少なくとも特典付き大当りが設けられている。そして、特典付き大当りの大当り遊技中に特典確定口に遊技球が入球した場合に遊技状態は大当り当否判定の当り確率が比較的高い確変有り時短状態になる一方、特典確定口に遊技球が入球しなかった場合に遊技状態は当り確率が比較的低い確変無し時短状態になる。そのため、特典付き大当りにおいて特典確定口に遊技球を入球させれば確変有り時短状態にすることができ、仮に特典確定口に遊技球を入球できなくても確変無し時短状態とすることができるため時短無し状態よりも遊技者に有利な状態となり、新たな遊技性を提供することが可能となる。
そして、［２］及び［３］の遊技機のように、大当り遊技後に確変無し時短状態へと移行した場合は、確変無し時短状態から非時短状態に切り替わる場合のタイミングを、再開した確変有り時短状態用演出の演出時間の経過後になるように、確変有り時短状態用演出時間の最長時間に対して第２の判定報知演出の長さと第２の当否判定権を使用した大当り当否判定の上限回数とを設定したことで、最長時間の確変有り時短状態用演出を実行している間に遊技状態が確変有り時短状態から確変無し時短状態に変わってしまっても確変有り時短状態用演出の演出時間の経過中に確変無し時短状態が終わってしまうことが無くなり、確変有り時短状態用演出の終了後にいきなり非時短状態（通常状態）用の演出が実行されることを防止することが可能となる。
［４］の遊技機では、確変有り時短状態用演出の終了後、確変無し時短状態から非時短状態に切り替わる前迄に、遊技状態が遊技者にとって不利な状態に切り替わることを意味する確変無し時短状態用演出を行うので、遊技状態が確変有り時短状態から変わってしまった可能性があることを遊技者に認識させることが可能となる。
また、［５］の遊技機のように、第２の判定報知演出を、確変有り時短状態より確変無し時短状態の方が長く、確変無し時短状態より確変無し非時短状態の方が更に長くなるように設定して、遊技者にとって有利な遊技状態ほど演出時間を短くすることが可能となる。
［６］の遊技機のように、確変有り時短状態での第１の判定報知演出を第２の判定報知演出より長くなるように設定したことで、確変有り時短状態では第１の判定報知演出の間に複数回第２の当否判定権を実行することが可能となる。
［７］の遊技機のように、確変無し時短状態での第１の判定報知演出を第２の判定報知演出と同じ長さになるように設定したことで、確変無し時短状態では、確変無し時短状態用の第１の当否判定権による演出時間と第２の当否判定権による演出時間の差を抑制することが可能となる。
【手続補正１９】
【補正対象書類名】図面
【補正対象項目名】図１１
【補正方法】変更
【補正の内容】
【図１１】
2016026578.tif 000002